(57)【要約】【課題】水素イオン供給用アルコール類を利用した簡素な構成をもつ再生形の燃料電池を提供する。【解決手段】陰極側反応容器内で水素イオン供給用アルコール類を触媒に接触させ直接に水素イオンを生成し、正極側反応容器で酸素イオンと反応させて電力を発生するとともに、発電反応後には、系外からの電力を用いて正極側反応容器で水素イオンを生成し、負極側のケトン類と反応させて水素イオン供給用アルコール類を再生することを特徴とする再生形燃料電池である。【選択図】  図１
2004247080.tif 000002
【特許請求の範囲】
【請求項１】
負極側で水素イオン供給用アルコール類を触媒に接触させて水素イオン及びケトン類を生成し、水素イオンを選択的に透過する水素イオン透過性電解質膜を透過させて、正極側で触媒の存在下で水素イオンと酸素イオンとを反応させて電力を発生させるように構成されていることを特徴とする燃料電池
【請求項２】
負極側で水素イオン供給用アルコール類を触媒に接触させて水素イオン及びケトン類を生成し、水素イオンを選択的に透過する水素イオン透過性電解質膜を透過させて、正極側で触媒の存在下で水素イオンと酸素イオンとを反応させて電力を発生させ、
上記反応後には、正極と負極に電位差を与え、正極側では水又は水蒸気の電気分解により水素イオンが生成し、固体高分子膜を透過させて、負極側のケトン類と該水素イオンとから水素イオン供給用アルコール類を再生することができることを特徴する燃料電池
【請求項３】
水素イオン透過性電解質膜と、導電性のある触媒と拡散部材とが着接された集電極体と、反応容器と、から構成される燃料電池であって、
水素イオン透過性電解質膜は、その一面に正極側集電極体が、反対面には負極側集電極体が、それぞれの触媒面が着接するように配設され、正極側集電極体と負極側集電極体とその間の水素イオン透過性電解質膜とが全体として層状に集成されて、同形状の開口部が設けられた正極側反応器と負極側反応器により開口部を当接させて挟み込んで、相互に緊合密着されて一体化され、
発電反応時には、正極側反応器には酸化剤が供給され、負極側反応器には水素イオン供給用アルコール類が供給され、正極側反応容器では酸化剤が正極側触媒に接触して酸素イオンが生成し、負極側反応容器では水素イオン供給用アルコール類が負極側触媒に接触して水素イオン及びケトン類が生成し、水素イオンが水素イオン透過性電解質膜を透過して酸素イオンと反応することで、正極側集電極体と負極側集電極体との間に電位差が生じて電力を発生し、
上記発電反応後の充電時には、正極側反応器には水又は水蒸気が供給され、正極側集電極体と負極側集電極体に系外より導入する電力により電位差が与えられ、正極側反応容器では水又は水蒸気が電気分解され水素イオンが生成し、水素イオンが水素イオン透過性電解質膜を透過して、負極側反応容器ではケトン類と該水素イオンが反応して、水素イオン供給用アルコール類を再生することができることを特徴とする燃料電池
【請求項４】
前記水素イオンを選択的に透過する水素イオン透過性電解質膜が、固体高分子電解質膜であることを特徴とする請求項１から請求項３のいずれかに記載の燃料電池
【請求項５】
前記触媒は、金属触媒が、白金、パラジウム、ルテニウム、ロジウム、イリジウム、ニッケル、コバルト、鉄、レニウム、バナジウム、クロム、タングステン、モリブデン、又は銅から構成される群から選定された少なくとも１つ、又はそれらの化合物を含有するものであることを特徴とした請求項１から請求項４のいずれかに記載の燃料電池
【請求項６】
前記触媒は、金属触媒が白金とロジウムのバイメタリック触媒であることを特徴とした請求項１から請求項４のいずれかに記載の燃料電池
【請求項７】
前記触媒は、触媒担体が、活性炭素繊維、アルミナ、チタニア、ジルコニア、シリカ、ゼオライト、メソ多孔質材、カーボンナノチューブ、カーボンナノホーン、又はフラーレンのいずれかであることを特徴とした請求項１から請求項６のいずれかに記載の燃料電池
【請求項８】
前記拡散部材が、触媒担体となり触媒が担持されることを特徴とする請求項１から請求項７のいずれかに記載の燃料電池
【請求項９】
前記水素イオン供給用アルコール類の負極側への供給は、ガス状態又は噴霧状態で行われることを特徴とする請求項１から請求項８のいずれかに記載の燃料電池
【請求項１０】
燃料電池作動温度を供給する加熱手段をさらに備えていることを特徴とする請求項１から請求項９のいずれかに記載の燃料電池
【請求項１１】
前記水素イオン透過性電解質膜を加湿する加湿手段をさらに備えていることを特徴とする請求項１から請求項１０のいずれかに記載の燃料電池
【請求項１２】
前記加湿手段は、前記水素イオン供給用アルコール類が親水性であるときは、水溶液として負極側に供給することによるものであることを特徴とする請求項１１に記載の燃料電池
【請求項１３】
前記水素イオン供給用アルコール類は、飽和鎖状アルキル基又はその誘導体を持つアルコール（異性体を含む。）、シクロヘキシル基又はその誘導体を持つアルコール（異性体を含む。）、不飽和鎖状アルキル基又はその誘導体を持つアルコール（体異性体を含む。）、飽和環状アルキル基又はその誘導体を持つアルコール（異性体を含む。）、不飽和環状アルキル基又はその誘導体を持つアルコール（異性体を含む。）、その他の第二級アルコール不飽和環状アルキル基又はその誘導体を持つアルコール（異性体を含む。）、のいずれかに属する第二級アルコール類又はそれらの混合物であることを特徴とする請求項１から請求項１２のいずれかに記載の燃料電池
【請求項１４】
前記水素イオン供給用アルコール類は、飽和鎖状アルキル基およびその誘導体を持つアルコール（異性体を含む。）、不飽和鎖状アルキル基又はその誘導体を持つモノオール（異性体を含む。）、のいずれかに属する第一級アルコール類又はそれらの混合物であることを特徴とする請求項１から請求項１２のいずれかに記載の燃料電池
【請求項１５】
前記酸素イオンの供給物質あるいは酸化剤は、酸素ガス、空気、酸素含有ガス、過酸化水素水のいずれかであることを特徴とする請求項１から請求項１４のいずれかに記載の燃料電池
【発明の詳細な説明】
【０００１】
【発明の属する技術分野】
本発明は、負極側容器内で、水素イオン供給用アルコール類の触媒反応により水素イオンを直接に生成し、正極側で生成される酸素イオンと反応させて発電するとともに、発電後に系外からの電力を用いて水素イオン供給用アルコール類を再生することができるリチャージブルな燃料電池に関する。
【０００２】
【従来の技術】
固体高分子形燃料電池にかかる各種要素技術の研究開発の進展にともない、より簡素でコンパクトな燃料電池システムの実現化に向けた開発が各方面により鋭意取り組まれてきている。
【０００３】
それらの多くは、主に燃料電池用の水素の供給方法、とりわけメタノール等の水蒸気改質（酸化反応）や電気分解などによる水素生成プロセスにかかる技術に関するものとなっている。
燃料電池に直接メタノール等の液体燃料を供給する燃料直接供給形の燃料電池としては、特開２００２−２５２０１７号公報、特開２００２−２２２６５６号公報、特願２０００−２９４５０８号公報、特開２００１−３１３０４７号公報、他多数の先行技術が開示されている。
しかしながら、メタノールを用いる直接形燃料電池では、固体高分子膜をメタノールが透過してしまうクロスオーバーが生じ、発電効率が著しく低下することや、メタノールの反応によりＣＯ２が発生することなど、現在も実用化に向けた大きな課題が未解決となっている。
【０００４】
また、燃料電池システムのコンパクト化とともに、蓄電池の如くの充電可能化についても、家電製品分野等の燃料電池システム応用分野での実用上、重要な技術開発の方向性となっており、水の電気分解などにより水素を生成し、それを燃料電池供給用として貯蔵する方法が一般的なものとなっている。
このような再生形の燃料電池システムとしては、特開２００２−３４８６９４号公報、特開２００１−１５７３８５号公報、などが開示されている。
しかしながら、水素をガス体として貯蔵するためには容積や重量を必要とするため実用上の制約があるものとなっていた。
【０００５】
さらに、上記のメタノール燃料を利用した燃料電池の場合、再生形を構成するときは、メタノール燃料の再生が不可能であるために、電気分解水素等の貯蔵部を別に設ける必要があり、実用上は再生形の燃料電池を構成することは困難となっていた。
【０００６】
本願発明者は、上記のような状況に対して、有機化合物の水素化物である有機ハイドライドの脱水素反応または水素化反応を用いて、燃料電池用の水素の供給または貯蔵を行う技術を応用して、燃料電池の負極側に有機ハイドライドを直接供給して水素イオン化し、燃料電池を作動させるとともに、正極側で、系外からの電力により生成する電気分解水素を触媒により水素イオン化し負極側に透過させて、脱水素化合物等を直接に水素化して有機ハイドライドに再生する極めて簡素な構成による再生形の燃料電池を開発し、本願出願時点では、特願２００１−２３３４４８号として既に出願している。
【０００７】
発明者らは、上記の発明に関連して実証的な研究開発に取り組んできたが、有機ハイドライドと接触する固体高分子膜膜等の燃料電池の構成部材の耐久性の改善や、上記の発明と技術的な思想を同一にし、かつ、実用上の応用範囲の広範囲化のために、有機ハイドライド以外の物質についての再生形の燃料電池用の燃料物質の探索に鋭意取り組んできた。
【０００８】
その結果、２−プロパノールに代表される第二級アルコール類を液体燃料として利用して、上記発明の構成に準じた直接形燃料電池を実現できる可能性が見出された。第二級アルコール類は、直接形燃料電池の課題であるクロスオーバーがメタノールよりも発生しないとともに、脱水素により生じるケトン類も固体高分子形燃料電池において物性的な障害も与えないものであった。
また、ケトン類は水素イオンを与えられ第二級アルコールに再生されるため、本願発明者の技術的思想である再生形の燃料電池に利用できるものの、２−プロパノールを利用する燃料電池において再生形の技術的思想を持つものは見出せなかった。
２−プロパノールを利用した水素生成技術については、特開２００２−２８４５０２号公報により触媒を用いて水素を生成する技術として公知となっているが、同技術では３５０℃以上の高温を必要とする水蒸気改質法であり、固体高分子形燃料電池には活用できるものではなかった。
【０００９】
【発明が解決しようとする課題】
本発明の目的は、このような従来技術の課題点等に鑑み、水素イオン供給用アルコール類を利用した簡素な構成をもつ再生形の燃料電池を提供することを目的とする。
【００１０】
【課題を解決するための手段】
本願発明者らは上記課題の解決のために鋭意研究開発を行い、固体高分子形燃料電池の作動温度帯で、燃料電池の陰極側反応容器内で水素イオン供給用アルコール類を触媒に接触させ直接に水素イオンを生成し、正極側反応容器で酸素イオンと反応させて電力を発生するとともに、発電反応後には、系外からの電力を用いて正極側反応容器で水素イオンを生成し、負極側のケトン類と反応させて水素イオン供給用アルコール類を再生する、簡素な構成をもつ再生形の燃料電池を発明するにいたった。
【００１１】
すなわち、本願請求項１の発明は、負極側で水素イオン供給用アルコール類を触媒に接触させて水素イオン及びケトン類を生成し、水素イオンを選択的に透過する水素イオン透過性電解質膜を透過させて、正極側で触媒の存在下で水素イオンと酸素イオンとを反応させて電力を発生させるように構成されていることを特徴とする燃料電池を提供する。
【００１２】
請求項２の発明は、負極側で水素イオン供給用アルコール類を触媒に接触させて水素イオン及びケトン類を生成し、水素イオンを選択的に透過する水素イオン透過性電解質膜を透過させて、正極側で触媒の存在下で水素イオンと酸素イオンとを反応させて電力を発生させ、上記反応後には、正極と負極に電位差を与え、正極側では水又は水蒸気の電気分解により水素イオンが生成し、固体高分子膜を透過させて、負極側のケトン類と該水素イオンとから水素イオン供給用アルコール類を再生することができることを特徴する燃料電池を提供する。
【００１３】
請求項３の発明は、水素イオン透過性電解質膜と、導電性のある触媒と拡散部材とが着接された集電極体と、反応容器と、から構成される燃料電池であって、水素イオン透過性電解質膜は、その一面に正極側集電極体が、反対面には負極側集電極体が、それぞれの触媒面が着接するように配設され、正極側集電極体と負極側集電極体とその間の水素イオン透過性電解質膜とが全体として層状に集成されて、同形状の開口部が設けられた正極側反応器と負極側反応器により開口部を当接させて挟み込んで、相互に緊合密着されて一体化され、発電反応時には、正極側反応器には酸化剤が供給され、負極側反応器には水素イオン供給用アルコール類が供給され、正極側反応容器では酸化剤が正極側触媒に接触して酸素イオンが生成し、負極側反応容器では水素イオン供給用アルコール類が負極側触媒に接触して水素イオン及びケトン類が生成し、水素イオンが水素イオン透過性電解質膜を透過して酸素イオンと反応することで、正極側集電極体と負極側集電極体との間に電位差が生じて電力を発生し、上記発電反応後の充電時には、正極側反応器には水又は水蒸気が供給され、正極側集電極体と負極側集電極体に系外より導入する電力により電位差が与えられ、正極側反応容器では水又は水蒸気が電気分解され水素イオンが生成し、水素イオンが水素イオン透過性電解質膜を透過して、負極側反応容器ではケトン類と該水素イオンが反応して、水素イオン供給用アルコール類を再生することができることを特徴とする燃料電池を提供する。
【００１４】
請求項４の発明は、前記水素イオンを選択的に透過する水素イオン透過性電解質膜が、固体高分子電解質膜であることを特徴とする請求項１から請求項３のいずれかに記載の燃料電池を提供する。
【００１５】
請求項５の発明は、前記触媒が、金属触媒が、白金、パラジウム、ルテニウム、ロジウム、イリジウム、ニッケル、コバルト、鉄、レニウム、バナジウム、クロム、タングステン、モリブデン、又は銅から構成される群から選定された少なくとも１つ、又はそれらの化合物を含有するものであることを特徴とした請求項１から請求項４のいずれかに記載の燃料電池を提供する。
【００１６】
請求項６の発明は、前記触媒が、金属触媒が白金とルテニウムのバイメタリック触媒であることを特徴とした請求項１から請求項４のいずれかに記載の燃料電池
【００１７】
請求項７の発明は、前記触媒が、触媒担体が、活性炭素繊維、アルミナ、チタニア、ジルコニア、シリカ、ゼオライト、メソ多孔質材、カーボンナノチューブ、カーボンナノホーン、又はフラーレンのいずれかであることを特徴とした請求項１から請求項６のいずれかに記載の燃料電池を提供する。
【００１８】
請求項８の発明は、前記拡散部材が、触媒担体となり触媒が担持されることを特徴とする請求項１から請求項７のいずれかに記載の燃料電池を提供する。
【００１９】
請求項９の発明は、前記水素イオン供給用アルコール類の負極側への供給は、ガス状態又は噴霧状態で行われることを特徴とする請求項１から請求項８のいずれかに記載の燃料電池を提供する。
【００２０】
請求項１０の発明は、燃料電池作動温度を供給する加熱手段をさらに備えていることを特徴とする請求項１から請求項９のいずれかに記載の燃料電池を提供する。
【００２１】
請求項１１の発明は、前記水素イオン透過性電解質膜を加湿する加湿手段をさらに備えていることを特徴とする請求項１から請求項１０のいずれかに記載の燃料電池を提供する。
【００２２】
請求項１２の発明は、前記加湿手段が、前記水素イオン供給用アルコール類が親水性であるときは、水溶液として負極側に供給することによるものであることを特徴とする請求項１１に記載の燃料電池を提供する。
【００２３】
請求項１３の発明は、前記水素イオン供給用アルコール類が、飽和鎖状アルキル基又はその誘導体を持つアルコール（異性体を含む。）、シクロヘキシル基又はその誘導体を持つアルコール（異性体を含む。）、不飽和鎖状アルキル基又はその誘導体を持つアルコール（異性体を含む。）、飽和環状アルキル基又はその誘導体を持つアルコール（異性体を含む。）、不飽和環状アルキル基又はその誘導体を持つアルコール（異性体を含む。）、その他の第二級アルコール不飽和環状アルキル基又はその誘導体を持つアルコール（異性体を含む。）、のいずれかに属する第二級アルコール類又はそれらの混合物であることを特徴とする請求項１から請求項１２のいずれかに記載の燃料電池を提供する。
【００２４】
請求項１４の発明は、前記水素イオン供給用アルコール類が、飽和鎖状アルキル基およびその誘導体を持つアルコール（異性体を含む。）、不飽和鎖状アルキル基又はその誘導体を持つモノオール（異性体を含む。）、のいずれかに属する第一級アルコール類又はそれらの混合物であることを特徴とする請求項１から請求項１２のいずれかに記載の燃料電池を提供する。
【００２５】
請求項１５の発明は、前記酸素イオンの供給物質あるいは酸化剤が、酸素ガス、空気、酸素含有ガス、過酸化水素水のいずれかであることを特徴とする請求項１から請求項１４のいずれかに記載の燃料電池を提供する。
【００２６】
【発明の実施の形態】
図１に、本願発明の実施例の基本構成を示す。
本発明は、燃料電池の負極側反応容器の内部に、水素イオン供給用アルコール類が保持され、触媒に接触して水素イオンとケトン類が生成し、水素イオンが水素イオン透過性電解質膜を透過する水素イオン生成、供給の構成と、燃料電池の正極側反応容器の内部に保持された酸化剤が触媒と接触して酸素イオンを生成し、上記イオン透過性電解質膜を透過した水素イオンと反応して水を生成すると同時に、正極側、負極側に配設された集電極体との間に電位差が生じて電気を発生する燃料電池の構成とからなるものである。
【００２７】
また、図１の実施例では、発電反応が進行した後、正極側、負極側の集電極体との間に、系外より導入した電力により電位差を与えると、生成した水等の電気分解により水素イオンを生成し、上記イオン透過性電解質膜を正極側から負極側に透過した水素イオンが負極側でケトン類と反応して水素イオン供給用アルコール類が再生される。電力を与えると本願発明の燃料電池の燃料となる水素イオン供給用アルコール類が再生されることから、蓄電池を充電する如く燃料電池を再生することができるものである。
【００２８】
水素イオン供給用アルコール類及び酸化剤は、本願発明の燃料電池の組み立て時に予め充填されてもよいし、それぞれの供給装置（図示せず。）により連続的に、又は完結的に外部から循環供給されてもよい。
酸化剤は、本願請求項１４の発明のように、空気又は酸素ガスのガス体であるか、過酸化水素を含有する水溶液などの液体であるかの、いずれでもよく、触媒との接触により酸素イオンを生成する。
ただし、発電時には正極側容器内で水素イオンと酸素イオンが反応して水（水蒸気）を生成するため、水蒸気排出供給装置（図示せず。）により、正極側反応容器内への水の滞留を防ぐように生成した水（水蒸気）を排出して、充電時は、正極側反応容器に水（水蒸気）を供給することが望ましい。
【００２９】
触媒は、金属触媒が、本願請求項５の発明のように、白金、パラジウム、ルテニウム、ロジウム、イリジウム、ニッケル、コバルト、鉄、レニウム、バナジウム、クロム、タングステン、モリブデン、または銅から構成される群から選定された少なくとも１つ、またはそれらの化合物を含有するものが好適である。
特に、本願請求項６の発明のとおり、白金とルテニウムのバイメタリック触媒を利用すると、水素イオン生成が著しく進行し、白金よりも出力密度（Ｗ／ｃｍ２）が２．５倍も向上するため、白金とルテニウムのバイメタリック触媒が実用上極めて有効である。
【００３０】
触媒担体としては、本願請求項７の発明のように、活性炭素繊維、アルミナ、チタニア、ジルコニア、シリカ、ゼオライト、メソ多孔質材、カーボンナノチューブ、カーボンナノホーン、またはフラーレンのいずれかが好適である。
請求項８の発明のように、拡散部材が、触媒担体となり触媒が担持される（触媒担体が拡散部材となるときも含む。）ようにすると、燃料電池の構成がさらに簡素なものとなり望ましい。
【００３１】
水素イオン供給用アルコール類のうち第二級アルコール類である２−プロパノールを使用する場合、２−プロパノールの水素イオン生成反応は、吸熱反応であるが、概４０℃〜１００℃固体高分子形燃料電池の作動温度帯で反応が進行するために、燃料電池作動のための加熱で水素イオン生成が進行する。
本願発明者の技術的成果であるシクロヘキサン等の有機ハイドライドを燃料として用いたときは反応温度と比例して燃料電池出力が上昇したが、第二級アルコール類では、概８０℃〜１００℃の温度帯では、温度を上昇させると出力が低下するものとなった。このため、固体高分子形燃料電池の運転と極めて整合性がよいものとなっている。
【００３２】
このため、本願請求項１１の発明のとおり、燃料電池作動温度を供給する加熱手段（図示せず。）で、燃料電池の作動温度ともに、水素イオン供給用アルコール類の反応温度を供給することができ、燃料電池システムの構成の簡素化が図られるものとなっている。
【００３３】
負極側反応容器で水素イオンを生成する水素イオン供給用アルコール類としては、請求項１３の発明のとおり、飽和鎖状アルキル基又はその誘導体を持つアルコール（異性体を含む。）、シクロヘキシル基又はその誘導体を持つアルコール（異性体を含む。）、不飽和鎖状アルキル基又はその誘導体を持つアルコール（異性体を含む。）、飽和環状アルキル基又はその誘導体を持つアルコール（異性体を含む。）、不飽和環状アルキル基又はその誘導体を持つアルコール（異性体を含む。）、その他の第二級アルコール不飽和環状アルキル基又はその誘導体を持つアルコール（異性体を含む。）、のいずれかに属する第二級アルコール類又はそれらの混合物を利用することができる。
【００３４】
また、請求項１４の発明のとおり、前記水素イオン供給用アルコール類が、飽和鎖状アルキル基およびその誘導体を持つアルコール（異性体を含む。）、不飽和鎖状アルキル基又はその誘導体を持つモノオール（異性体を含む。）、のいずれかに属する第一級アルコール類又はそれらの混合物も利用することができる。
【００３５】
発明者の研究によれば、第二級アルコール類の中でも２−プロパノールを用いると、同様規模の燃料電池セルを使用して水素を供給した場合の約１／２までの出力密度（Ｗ／ｃｍ２）が得られ、また、メタノールを利用したときの約３倍の出力密度となる。また、第二級アルコール類のシクロヘキサノールの倍以上の出力密度ともなっており、２−プロパノールの利用が実用上有効となっている。
【００３６】
正極側反応容器と負極側反応容器は、開口部を対向させて水素イオン透過性電解質膜を挟入して相互に緊合密着させることができるとともに、内包する物質に対する腐食耐性や無反応性を有する材質で成形され、内包する物質をリークしない材質及び形状であれば任意の形状とすることができる。
また、本願発明の構成は円筒状の反応容器とすることもでき、正極側を円筒外側に、負極側を円筒内側に配置して、円筒外側に酸化剤が接触し、円筒内側に水素イオン供給用アルコール類が供給される構成とすることもできる。
【００３７】
水素イオン透過性電解質膜は、水素イオンを選択的に透過するものであれば任意のものを選択することができ、実用的には、本願請求項４の発明のとおり、固体高分子膜が利用される。その他、金属製やセラミックス製のイオン交換膜を利用することも可能である。
【００３８】
【実施例】
次に、本発明に係る燃料電池の実施例を説明する。本実施例では、１０ｃｍ２の反応容器断面積をもつ小型の装置で、水素イオン供給用アルコール類に２−プロパノール、酸化剤に空気（酸素）を利用して、補助電源により加熱手段により燃料電池全体に反応温度８０℃を供給した。触媒には白金とルテニウムのバイメタリック触媒を用いた。その結果、２−プロパノールは水素イオンを発生し、２−プロパノールからアセトンが生成した。このとき、固体高分子燃料電池が作動して電力密度０．１５Ｗ／ｃｍ２の電力を得ることができた。装置全体では、出力電圧０．５Ｖで１５Ｗの電力を得ることができた。
【００３９】
【発明の効果】
本発明によれば、水素イオン供給用アルコール類を利用した簡素な構成をもつ再生形の燃料電池を提供することができるものである。
【００４０】
本発明は、上記の説明に限定されることなく、特許請求の範囲に記載された発明の範囲内で、種々の変更が可能であり、それらも本発明の範囲内に包含されることはいうまでもない。
【図面の簡単な説明】
【図１】本願発明の燃料電池の断面図。基本構成を示す。
【符号の説明】
１０  水素イオン透過性電解質膜
２０  触媒
３０  拡散部材
４０  正極側集電極体
５０  負極側集電極体
６０  正極側反応容器
７０  負極側反応容器
８０  酸化剤
９０  水素イオン供給用アルコール類
【図１】
2004247080.tif 000003
【手続補正書】
【提出日】平成15年2月21日(2003.2.21)
【手続補正１】
【補正対象書類名】明細書
【補正対象項目名】請求項６
【補正方法】変更
【補正の内容】
【請求項６】
前記触媒は、金属触媒が白金とルテニウムのバイメタリック触媒であることを特徴とした請求項１から請求項４のいずれかに記載の燃料電池